(57)【要約】【課題】省エネ性に優れ、外部電源への配線工事が不要で、かつ安価な照明装置を提供する。【解決手段】本発明に係る照明装置１は、太陽電池２と、該太陽電池２が発電した電気を蓄えるための蓄電池３と、該蓄電池３に接続された複数の発光部４と、を備えている。これら複数の発光部４は、蓄電池３から離れた位置に、かつ発光部どうしが互いに離間する位置に配置されている。この照明装置１を建物の壁面などに設置すると、その建物をライトアップすることができる。太陽電池２を使用しているため、外部電源への配線工事が不要で、また、省エネ効果もある。さらに、１つの太陽電池２で複数の発光部４を点灯させるような構成のため、太陽電池２等の部品を共用化でき、その分、照明装置を安価にできる。【選択図】          図１
2006228486.tif 000002
【特許請求の範囲】
【請求項１】
建築構造物の外壁面に設置される自発光型の照明装置において、
太陽電池と、
該太陽電池が発電した電気を蓄える蓄電池と、
該蓄電池に電気的に接続されると共に該蓄電池から離間する位置に配置された複数の発光部と、
を備えた照明装置。
【請求項２】
前記複数の発光部は、互いに離間する位置に配置された、ことを特徴とする請求項１に記載の照明装置。
【請求項３】
前記太陽電池の発電電圧を検知すると共に該発電電圧が低下したことで日没であることを検知する日没センサー部と、該日没センサー部からの信号に基づき起動されて一定時間経過後に前記発光部への電力供給を停止するタイマー部と、を備えたことを特徴とする請求項１又は２に記載の照明装置。
【発明の詳細な説明】
【技術分野】
【０００１】
本発明は、光で建物を演出する（すなわち、ライトアップする）ための照明装置に係り、詳しくは太陽電池を利用した自発光型のものに関する。
【背景技術】
【０００２】
従来、ドーム型建物や高層ビルや歴史的建造物や橋梁や塔などのような、人目を引く建築構造物を夜間にライトアップすることが行われており、そのための照明装置として種々の構造のものが提案され、使用されている。
【０００３】
そのような照明装置の一つとして、図８に示すように、建築構造物１００の周囲に設置し光線１０２を照射するようにしたスポットライト１０１を挙げることができる（例えば、特許文献１参照）。
【０００４】
また、他の照明装置として、図９及び図１０に示すように、内部に太陽電池等を有する自発光型のタイプのものを挙げることができる（例えば、特許文献２参照）。
【０００５】
ここで、図９は、太陽電池を内蔵した照明装置の外観を示す外観斜視図であり、図１０は、図９のＣ−Ｃ断面図である。図示の照明装置１１０は、太陽電池１１１と蓄電部分（電気二重層コンデンサ）１１２と発光部（発光ダイオード）１１３とが１つのケース１１４に収納されてユニット化されている。この照明装置１１０をビルの壁面等に多数取り付ければ、ビル自体をライトアップすることができる。
【特許文献１】特開平０６−２０３６１０号公報
【特許文献２】特開２００３−２１７３０７号公報
【発明の開示】
【発明が解決しようとする課題】
【０００６】
しかしながら、図８に示すスポットライト１０１は、外部電源を使用しなければならないので省エネという観点から好ましくは無く、また、外部電源までの配線工事行う必要があることから設置工事が大掛かりになるという問題があった。
【０００７】
これに対し、図９及び図１０に示す照明装置１１０は、太陽電池を利用する自発光型であるために省エネという観点からは好ましく、また外部電源までの配線工事等も不要となる利点を有する反面、発光部１１３が太陽電池１１１等の種々の部品と共にユニット化されているので、発光部１１３を配置したい箇所の全てにそのユニットを配置しなければならず（例えば、一の発光部１１３と他の発光部１１３との間でタイマーやスイッチやケースやシール材等の部品を一切共用化することができず）、その分、コストが掛かってしまうという問題があった。
【０００８】
そこで、本発明は、省エネに優れ、外部電源までの配線工事が不要で、かつ安価な照明装置を提供することを目的とするものである。
【課題を解決するための手段】
【０００９】
本発明は上記事情を考慮してなされたものであり、請求項１に係る発明は、図１及び図２に例示するように、建築構造物（Ａ）の外壁面に設置される自発光型の照明装置（１）において、
太陽電池（２）と、
該太陽電池（２）が発電した電気を蓄える蓄電池（３）と、
該蓄電池（３）に電気的に接続されると共に該蓄電池（３）から離間する位置に配置された複数の発光部（４）と、を備えたことを特徴とする。
【００１０】
また、請求項２に係る発明は、請求項１に係る発明において、前記複数の発光部（４）が、図３に例示するように、互いに離間する位置に配置された、ことを特徴とする。
【００１１】
さらに、請求項３に係る発明は、請求項１又は２に係る発明において、前記太陽電池（２）の発電電圧を検知すると共に該発電電圧が低下したことで日没であることを検知する日没センサー部（５）と、該日没センサー部（５）からの信号に基づき起動されて一定時間経過後に前記発光部（４）への電力供給を停止するタイマー部（６）と、を備えたことを特徴とする。
【００１２】
なお、括弧内の符号等は発明の理解のために付した便宜的なものに過ぎず、本発明を何ら限定するものではない。
【発明の効果】
【００１３】
請求項１に係る発明によれば、太陽電池及び蓄電池に複数の発光部を接続しているので、種々の部品を共用化でき、その分、照明装置を安価にできる。また、太陽電池を利用した自発光型のものなので、外部電源までの配線工事が不要となり、さらに、省エネ効果もある。
【００１４】
請求項２に係る発明によれば、複数の発光部が互いに離間するように配置されるため、広い範囲をライトアップすることができる。
【００１５】
請求項３に係る発明によれば、太陽光が照射されない日が多少続いたとしても、夜間のライトアップを継続することができる。
【発明を実施するための最良の形態】
【００１６】
以下、図１至図７を参照して、本発明の実施の形態について説明する。ここで、図１は、本発明に係る照明装置の構成の一例を示すブロック図であり、図２は、本発明に係る照明装置をドーム型建物に取り付けた状態の一例を示す断面図であり、図３は、本発明に係る照明装置の構造の一例を示す平面図である。また、図４(a) は、太陽光発電蓄電ユニット部１Ａの構造の一例を示す側面図であり、(b) はその分解図であり、図５は、本発明に係る照明装置の外観の一例を示す斜視図である。さらに、図６(a) は発光ユニット部（発光部）４の構造の一例を示す側面図であり、(b) はその分解図であり、図７(a) は太陽光発電蓄電ユニット部１Ａをドーム型建物のフレームに取り付けた状態を示す側面図であり、(b) は発光ユニット部（発光部）４をドーム型建物のフレームに取り付けた状態を示す側面図である。
【００１７】
本発明に係る照明装置１は、図１に例示するように、太陽電池２と、該太陽電池２が発電した電気を蓄える蓄電池３と、該蓄電池３に電気的に接続された複数の発光部４と、から構成された自発光型の照明装置であって、図２に例示するように、建築構造物Ａの外壁面に設置されて該建築構造物Ａをライトアップできるように構成されている。本発明によれば、太陽電池２及び蓄電池３に複数の発光部４を接続しているので、種々の部品を共用化でき、その分、照明装置１を安価にできる。また、太陽電池２を利用した自発光型のものなので、外部電源までの配線工事が不要となり、さらに、省エネ効果もある。
【００１８】
これらの複数の発光部４は、図３に例示するように、前記蓄電池３から数ｍ〜十数ｍ程度離間する位置に配置されている。また、これらの複数の発光部４は、近接するように配置されるのではなく、互いに離間する位置に配置されている。これにより、複数の発光部４が比較的広い範囲に分散して配置されることとなり、その結果、広い範囲をライトアップすることができる。
【００１９】
ところで、図１に示すように、前記太陽電池２の発電電圧を検知すると共に該発電電圧が低下したことで日没であることを検知する日没センサー部５を該太陽電池２に接続しておき、さらに、前記蓄電池３と発光部４との間にタイマー部６を介装しておいて、日没センサー部５からの信号に基づきタイマー部６を起動することにより、（太陽電池２が昼間に発電した電力の如何にかかわらず）日没から一定時間を経過した後に発光部４への電力供給を停止できるようにしても良い。なお、このタイマー部６のセット時間は自由に調整すれば良いが、太陽電池２の発電能力並びに蓄電池３の蓄電能力を比較考慮し、例えば、太陽光が照射されない日（雨天や曇天）が２〜３日続いたとしても夜間のライトアップ（例えば、４〜５時間程度のライトアップ）をその２〜３日間継続できる程度に調整しておくと良い。
【００２０】
上述した太陽電池２は、蓄電池３（さらには、日没センサー部５及びタイマー部６）と共にユニット化しておくと良い。具体的には、図４に示すように、太陽電池２と一体になるように筐体７を設けておき、該筐体７の内部に蓄電池（図４においては不図示）やその他の部品を収納しておくと良い。
【実施例１】
【００２１】
以下、本発明の一実施例を説明する。
【００２２】
本実施例においては、図３乃至７等に示す構造の照明装置１を作製し、それを、図２に示すようにドーム型の建物Ａに多数取り付けた。
【００２３】
本実施例に係る照明装置１は、太陽光を利用した発電等を行う太陽光発電蓄電ユニット部（図５の符号１Ａ参照）と、ＬＥＤ等を有する発光ユニット部（発光部）４と、それらを接続する接続部１Ｂと、により構成した。なお、図５には、発光ユニット部４及び接続部１Ｂは１組しか示していないが、実際には図３に示すように４組配置した。
【００２４】
このうち、太陽光発電蓄電ユニット部１Ａには、図３に示すような矩形板状の太陽電池２を配置し、その太陽電池２の下側には、図４(a) (b) 及び図５に符号１０で示す取付板１０を配置し、該取付板１０の下側には、上側が開口されたトレイ状のアルミケース（筐体）７を配置した。なお、図４(b) 中の符号１１ａ，１１ｂ，１１ｃは、太陽電池２を取付板１０に固定するためのボルトとワッシャとナットを示し、符号１２は、アルミケース７を取付板１０に固定するためのブラケットを示し、符号１３ａ，１３ｂ，１３ｃは、該ブラケット１２を取付板１０に固定するためのボルトとワッシャとナットを示す。この取付板１０の適当な箇所には複数の孔部１０ａを穿設した（詳細は後述する）。なお、このアルミケース７の内部には、図１にて示すような、蓄電池としてのニッケル水素電池３や、日没センサー部５や、アナログタイマー６や、それらを取り付けるためのプリント基板（不図示）を配置し、シリコン（信越シリコーン社製、ＫＥ４４１）を充填した。本実施例では、太陽電池２として、開放電圧が２０．０Ｖで、短絡電流が２００ｍＡで、２２０ｍｍ×１３５ｍｍのサイズのものを使用した。また、ニッケル水素電池３には、電圧が７．２Ｖで、容量が１８００ｍＡｈで、標準充電が１８０ｍＡ×１４時間のものを使用した。さらに、取付板１０とアルミケース７との間隙にはシリコン等による防水処理を施した。
【００２５】
一方の発光ユニット部４は、図６(a) (b) に示す構成とした。すなわち、下側樹脂ケース４０ｂ及び上側樹脂ケース４０ｃをヒンジ４０ａにより開閉自在とし、その内部には、スペーサー４１とＬＥＤ基板４２とを配置し、下側樹脂ケース４０ｂの下面側にはブラケット４３を配置し、これらのスペーサー４１、ＬＥＤ基板４２及びブラケット４３をボルト４４ａとワッシャ４４ｂとナット４４ｃを使って下側樹脂ケース４０ｂに固定した。なお、ＬＥＤ基板４２には、日亜化学工業社製のＮＳＳＷ４４０を２つ直列に配置した。また、ブラケット４３の適当な箇所には複数の孔部４３ａを穿設しておいた（詳細は後述する）。さらに、樹脂ケース４０ｂ，４０ｃは透明アクリル製とし、その表面には酸化チタンコート処理を施した。この酸化チタンコート処理により、樹脂ケース４０ｂ，４０ｃの紫外線による劣化を防ぎ、同時に、砂埃等の汚れの付着を防止し、その結果、ＬＥＤ光源の光量・輝度を維持することができる。
【００２６】
また、接続部１Ｂは、リード線１５Ａ，１５Ｂと、それらを接離自在に構成する接続プラグ（ＰＣ４００９Ｍ−ＷＰ、ＰＣ４００９−Ｆ−ＷＰ）１６とにより構成した。
【００２７】
ところで、この照明装置を取り付けるドーム型建物Ａには、天井部を覆うように多数のフレーム（図７(a) (b) に符号Ｂで示すような断面が円形のものであって、直径が数センチ程度のもの）が縦横に延設されているので、取付板１０の孔部１０ａを挿通させたインシュロック１４にて太陽光発電蓄電ユニット部１ＡをフレームＢに固定した。また、同様に、発光ユニット部４のブラケット４３の孔部４３ａを挿通させたインシュロック１４にて該発光ユニット部４をフレームＢに固定した。
【００２８】
なお、各電気配線部にはシリコンを充填し、防水処理を施した。また、ブラケット４３等の金属部品はステンレス製として、全天候型の装置となるようにした。
【００２９】
本実施例では上述したアナログタイマー６により、日没後４時間で消灯するように設定した。これにより、消灯時点で約８時間程度の点灯能力（蓄電力）を残すこととなり、仮に、翌日及び翌々日が雨天や曇天で太陽電池２による発電が一切なされなかったとしても日没後４時間の照明は確保され得ることとなる。なお、ニッケル水素電池３とＬＥＤ基板４２との間には公知の電流制限抵抗（不図示）を介装しておいて、電池３の蓄電圧が所定以下になるとＬＥＤ基板４２への電流供給を防止し、過放電を防止するようにした。
【産業上の利用可能性】
【００３０】
本発明は、太陽電池や蓄電池や複数の発光部を備えた照明装置であって、ドーム型等の建築構造物のライトアップの用途に使用することができる。
【図面の簡単な説明】
【００３１】
【図１】本発明に係る照明装置の構成の一例を示すブロック図。
【図２】本発明に係る照明装置をドーム型建物に取り付けた状態の一例を示す断面図。
【図３】本発明に係る照明装置の構造の一例を示す平面図。
【図４】(a) は太陽光発電蓄電ユニット部１Ａの構造の一例を示す側面図であり、(b) はその分解図。
【図５】本発明に係る照明装置の外観の一例を示す斜視図。
【図６】(a) は発光ユニット部（発光部）４の構造の一例を示す側面図であり、(b) はその分解図。
【図７】(a) は太陽光発電蓄電ユニット部１Ａをドーム型建物のフレームに取り付けた状態を示す側面図であり、(b) は発光ユニット部（発光部）４をドーム型建物のフレームに取り付けた状態を示す側面図。
【図８】照明装置の従来構造の一例を示す模式図。
【図９】太陽電池を内蔵した照明装置の外観を示す外観斜視図。
【図１０】図９のＣ−Ｃ断面図。
【符号の説明】
【００３２】
１          照明装置
２          太陽電池
３          ニッケル水素電池（蓄電池）
４          発光ユニット部（発光部）
５          日没センサー部
６          アナログタイマー（タイマー部）
Ａ          ドーム型建物（建築構造物）
【図１】
2006228486.tif 000003
【図２】
2006228486.tif 000004
【図３】
2006228486.tif 000005
【図４】
2006228486.tif 000006
【図５】
2006228486.tif 000007
【図６】
2006228486.tif 000008
【図７】
2006228486.tif 000009
【図８】
2006228486.tif 000010
【図９】
2006228486.tif 000011
【図１０】
2006228486.tif 000012